(57)【要約】【課題】磁気記録装置を内蔵しているパソコンのフロントパネルに、記録媒体１を強制排出するための専用の孔を必要としない磁気記録装置を提供する。【解決手段】磁気記録装置において、記録媒体１の装填口２ａに、エジェクトプレート３を押すための、エジェクトプレート３と一体に形成された折曲げ部３ａを配設することにより、パソコンのフロントパネルに専用の孔を必要とすることなく、手動で記録媒体１を強制排出することができる。【選択図】      図１
2004171617.tif 000002
【特許請求の範囲】
【請求項１】
記録媒体を緊急時に強制排出する機構を備えた磁気記録装置であって、
前記記録媒体を載置するエレベータと、
前記記録媒体を載置する前記エレベータの下方両側部に設けられたピンと係合するテーパ部を有するエジェクトプレートと、
前記磁気記録装置の本体に固定したシャーシに設けた軸に回動自在に設けられた前記エジェクトプレートの先端部と係合可能なラッチと、
前記シャーシに設けられた、前記記録媒体の裏面の孔に係合する突起と、
前記エレベータに設けた軸に回動自在に軸支され、該レバーと前記エレベータ間に設けられたバネの付勢力により、前記記録媒体を装填口方向に押すとともに、該記録媒体のシャッターを開閉するレバーとを備え、
停電等の緊急時には、前記エジェクトプレートの押圧部を前記磁気記録装置本体の前面に設けた前記記録媒体の装填口より挿入した操作具で押圧して、前記エジェクトプレートを後方に移動させて、該エジェクトプレートの先端部を前記ラッチに係止させるとともに、前記テーパ部により前記エレベータを上昇させて、前記記録媒体の前記孔と、前記シャーシに設けられた突起との係合を解除し、前記バネにより付勢された前記記録媒体を前記装填口から強制的に排出させる、
ことを特徴とする磁気記録装置。
【請求項２】
請求項１記載の磁気記録装置において、
前記エジェクトプレートの押圧部は、前記装填口のほぼ中央下方部位に配設した、
ことを特徴とする磁気記録装置。
【請求項３】
請求項１記載の磁気記録装置において、
前記エジェクトプレートの押圧部は、前記エジェクトプレートの前端中央部を上方に折り曲げて形成した、
ことを特徴とする磁気記録装置。
【発明の詳細な説明】
【０００１】
【発明の属する技術分野】
本発明は、記録媒体を自動で排出できる自動排出機構を有する磁気記録装置に関し、特に、緊急時に手動で記録媒体を排出するための強制排出機構を備えた磁気記録装置に関するものである。
【０００２】
【従来の技術】
従来、この種の磁気記録装置としては、図９に示すように、手動で記録媒体１を排出するために、エジェクトプレート１３を金属ピン等の操作具で押すための専用の挿入孔１２ｂをフロントベゼル１２に配設している。
【０００３】
以下、図９〜図１３により従来方式の磁気記録装置の一例を説明する。
図９に示すように、従来の磁気記録装置は、記録媒体１を矢印Ａ方向に挿入してその後逆方向に排出する場合に、通常は自動排出モジュール４のカムピン４ａを時計回りの矢印Ｃ方向に回転させて、エジェクトプレート１３の押圧部１３ｂを矢印Ｅ方向にスライドし、記録媒体１を排出している。モータを内蔵した自動排出モジュール４の故障や停電時などで自動排出モジュール４が動作しない場合、記録媒体１の記録保護のために、フロントベゼル１２の挿入孔１２ｂに、金属ピン等の操作具を挿入してエジェクトプレート１３の押圧部１３ａを矢印Ｄ方向に押すことにより、エジェクトプレート１３を矢印Ｅ方向にスライドし、記録媒体１を強制的に手動で排出する。
【０００４】
図１０は、自動排出するためのカムピン４ａとエジェクトプレート１３の押圧部１３ｂの位置関係を補足した図面である。
図１１は、エジェクトプレート１３を押すための押圧部１３ａの詳細形状の例を示している。
図１２は、エジェクトプレート１３を押すための押圧部１３ａとフロントベゼル１２の挿入孔１２ｂの位置関係を示している。
図１３は、フロントベゼル１２に金属ピン等の操作具で押すための専用の挿入孔１２ｂが、配設されていることを示している。
【０００５】
また、従来は、磁気記録装置のフロントベゼルを廃止して、パソコンに磁気記録装置を直接に搭載する場合にも、パソコンのフロントパネルにフロントベゼルの挿入孔１２ｂと同様の、金属ピン等の操作具で押すための専用の挿入孔が必要であった。
【０００６】
【特許文献１】
特開平９−３５３８７号公報
【０００７】
【発明が解決しようとする課題】
従来の磁気記録装置は、図９に示すように、手動で記録媒体１を排出するためにエジェクトプレート１３を金属ピン等の操作具で押すための専用の挿入口１２ｂをフロントベゼル１２に設ける必要があった。また、パソコンに搭載した場合も、同様にパソコンのフロントパネルに前記と同様の挿入孔を設ける必要があった。そして、その位置はエジェクトプレート１３と一体で形成された押圧部１３ａに合わせて配設する必要があった。
【０００８】
更に、余り大きな挿入孔を設けると異物等の進入を防止することが出来ないので、少なくとも挿入口より小さい金属ピン等の操作具が必要であった。
この発明は、前記のような問題点を解決するためなされたもので、記録媒体１を簡易な操作により排出することを実現し、装填口に異物が進入することのない磁気記録装置を提供することを目的としている。
【０００９】
【課題を解決するための手段】
前記課題を解決するために、本発明（請求項１）に係る磁気記録装置は、記録媒体を緊急時に強制排出する機構を備えた磁気記録装置であって、前記記録媒体を載置するエレベータと、前記記録媒体を載置する前記エレベータの下方両側部に設けられたピンと係合するテーパ部を有するエジェクトプレートと、前記磁気記録装置の本体に固定したシャーシに設けた軸に回動自在に設けられた前記エジェクトプレートの先端部と係合可能なラッチと、前記シャーシに設けられた、前記記録媒体の裏面の孔に係合する突起と、前記エレベータに設けた軸に回動自在に軸支され、該レバーと前記エレベータ間に設けられたバネの付勢力により、前記記録媒体を装填口方向に押すとともに、該記録媒体のシャッターを開閉するレバーとを備え、停電等の緊急時には、前記エジェクトプレートの押圧部を前記磁気記録装置本体の前面に設けた前記記録媒体の装填口より挿入した操作具で押圧して、前記エジェクトプレートを後方に移動させて、該エジェクトプレートの先端部を前記ラッチに係止させるとともに、前記テーパ部により前記エレベータを上昇させて、前記記録媒体の前記孔と、前記シャーシに設けられた突起との係合を解除し、前記バネにより付勢された前記記録媒体を前記装填口から強制的に排出させることを特徴とするものである。
【００１０】
また、本発明（請求項２）に係る磁気記録装置は、請求項１記載の磁気記録装置において、前記エジェクトプレートの押圧部は、前記装填口のほぼ中央下方部位に配設したことを特徴とするものである。
【００１１】
また、本発明（請求項３）に係る磁気記録装置は、請求項１記載の磁気記録装置において、前記エジェクトプレートの押圧部は、前記エジェクトプレートの前端中央部を上方に折り曲げて形成したことを特徴とするものである。
【００１２】
【発明の実施の形態】
（実施の形態１）
以下に、本発明の請求項１、請求項２及び請求項３に対応する本発明の実施の形態１について、図面を用いて説明する。
図１〜５は本発明に係る磁気記録装置を示す図である。図１は、その斜視図であり、図２〜５は、記録媒体１を装填および排出する機構を示す図である。図２は、記録媒体１の装填状態における平面透視図であり、図３は、その右側面透視図である。図４は、記録媒体１の排出状態における平面透視図であり、図５は、その右側面透視図である。
【００１３】
図において、１は記録媒体、１ａ、１ｂは記録媒体１の裏面に穿たれている二つの孔、１ｃは記録媒体１の磁気記録面を覆っているシャッターである。２は磁気記録装置本体の前面パネルであるフロントベゼルであり、２ａはフロントベゼル２の中央に設けてある、記録媒体１を装填する装填口である。この装填口２ａには、上端を支点にして磁気記録装置本体の内側に開く開閉蓋（図示せず）を設けている。
【００１４】
３は記録媒体１を、エレベータ５を介して載置するエジェクトプレ−トであり、図６にその斜視図を示す。３ａはエジェクトプレ−ト３の一部を折り曲げてエジェクトプレ−ト３と一体に構成している記録媒体強制排出用の押圧部であり、３ｂは記録媒体自動排出用の押圧部である。３ｃ、３ｄ、３ｅ、３ｆはテーパ部、３ｇはストッパである。４は記録媒体自動排出用のモジュ−ルであり、４ａは記録媒体自動排出用のモジュ−ルのカムピンである。
【００１５】
５は記録媒体１を載置するエレベータであり、このエレベータ５は５ａ、５ｂ、５ｃ（図示せず）、５ｄ（図示せず）の４箇所に、エジェクトプレ−ト３のテーパ部３ｃ、３ｄ、３ｅ、３ｆと、それぞれ滑合するピンを有する。エレベータ５は、エジェクトプレ−ト３のテーパ部上にピンを介して載っている状態であり、エジェクトプレ−ト３の前後動作にともない、テーパ部の作用により昇降（Ｆ方向とその逆方向）する。
【００１６】
６はエレベータ５に設けた軸に回動自在に軸支されたレバーであるシャッターオープナーであり、６ａはシャッターオープナー６の先端に固着しているリブである。７はシャッターオープナー６を介して記録媒体１を装填口２ａ方向に付勢するシャッターオープナーバネである。
【００１７】
８ａ、８ｂはエジェクトプレ−ト３を装填口２ａ方向に付勢するエジェクトプレ−トバネ右及びエジェクトプレ−トバネ左である。９はシャーシ１１に設けた軸に回動自在に軸支されたラッチであり、９ａはラッチ９に固着しているボスである。１０はラッチバネであり、一方はボス９ａに当たっており、他方はシャーシ１１に止まっている。１１はシャーシであり、１１ａ、１１ｂはシャーシ１１に固着し、記録媒体１の裏面に穿たれた二つの孔１ａ、１ｂに係合する突起である。
【００１８】
いま、図１に示すように、記録媒体１をＡ方向に、フロントベゼル２の装填口２ａから開閉蓋を押し開けて挿入して装填し、図２、図３の状態になっているとする。この状態から記録媒体１を強制排出する動作を説明する。
【００１９】
まず、装填口２ａから棒状の操作具を挿入して、操作具で押圧部３ａを図２のＢ方向に押すと、エジェクトプレ−ト３が図１のＥ方向に動き、エレベータ５をテーパ部の作用によりＦ方向に押し上げるとともに、エジェクトプレ−ト３の先端のストッパ３ｇが図４に示すようにラッチ９に係止し、この係止状態はラッチバネ１０の付勢力により保たれる。このとき、この上昇したエレベータ５の位置で、記録媒体１の裏面に穿たれた二つの孔１ａ、１ｂとシャーシ１１の突起１１ａ、１１ｂとの係合が外れ、記録媒体１の先端に当たっている、シャッターオープナー６の先端に固着しているリブ６ａに、シャッターオープナーバネ（バネ）７の付勢力が働き、記録媒体１はフロントベゼル２の装填口２ａからＧ方向に排出され、図４、図５の状態になり、強制排出動作が完了する。
【００２０】
次に、図４、図５の排出状態（記録媒体１が空の状態）から、図２、図３の装填状態にする動作を説明する。
記録媒体１が入っていない磁気記録装置に、記録媒体１をフロントベゼル２の装填口２ａから開閉蓋を押し開けて挿入して、図４、図５の状態になっているとする。記録媒体１を押し入れると、記録媒体１の先端に当たっているリブ６ａが、シャッターオープナー６の動きにより、シャッター１ｃを開き、さらに記録媒体１を押し入れると、記録媒体１の先端がボス９ａに当たって押すことによりラッチ９を反時計方向に回転し、ラッチ９とエジェクトプレ−ト３の先端のストッパ３ｇとの係止が外れ、エジェクトプレ−ト３はエジェクトプレ−トバネ右８ａ及びエジェクトプレ−トバネ左８ｂの付勢力によりＧ方向に引き戻される。テーパ部３ｃ、３ｄ、３ｅ、３ｆの作用によりエレベータ５が下降し、記録媒体１の裏面に穿たれた二つの孔１ａ、１ｂがシャーシ１１の突起１１ａ、１１ｂに係合し、図２、図３の磁気記録可能な装填状態になる。
【００２１】
即ち、図１に示すように本発明においては、記録媒体１を手動で強制排出するための、エジェクトプレート３を押す押圧部３ａを、装填口２ａの中央部に配設することで、押圧部３ａを矢印Ｂ方向に押すことによりエジェクトプレート３が矢印Ｅ方向にスライドし、記録媒体１を手動で強制排出することが出来る。このことにより、従来のフロントベゼル１２にあった、金属ピン等の操作具で押すための専用の挿入孔１２ｂを廃止することが出来る。
【００２２】
図６は、本発明において、エジェクトプレート３を操作具で押す押圧部３ａの詳細形状の例を示している。
図７は、本発明において、装填口２ａからエジェクトプレート３を操作具で押す押圧部３ａが見えて、押すことが可能であることを示している。
【００２３】
図８は、本発明により、従来のフロントベゼル２にあった、金属ピン等の操作具で押すための専用の挿入孔１２ｂが、廃止されていることを示す。また、パソコンに本磁気記録装置を、フロントベゼル２を廃止して搭載した場合にも、装填口２ａから操作具を挿入して押すことができるので、パソコンのフロントパネルに、金属ピン等の操作具で押すための専用の挿入孔を設ける必要がない。
【００２４】
自動排出の場合は、自動排出の指示操作を行うと、記録媒体自動排出用のモジュ−ル４が作動し、カムピン４ａがＣ方向に回って、記録媒体自動排出用の押圧部３ｂをＥ方向に押す。この後の動作は、上記で述べた排出、装填の動作と同じである。
【００２５】
このように、本発明の実施の形態１による磁気記録装置では、記録媒体１を載置するエジェクトプレート３の一部分を装填口２ａより挿入した操作具で押圧して、エジェクトプレート３を係止し、バネにより付勢された記録媒体１を強制的に排出するようにしたことから、金属ピン等の操作具を挿入する専用の挿入孔１２ｂを廃止することができる。
【００２６】
また、エジェクトプレート３の操作具による押圧部３ａは、装填口２ａのほぼ中央に配設したことから、金属ピン等の操作具の専用の挿入孔１２ｂを廃止することができる。
【００２７】
また、第一の載置部３の操作具による押圧部３ａは、第一の載置部３の一部を折り曲げて、第一の載置部３と一体に構成したことから、本磁気記録装置をパソコンに搭載する場合も、装填口２ａから操作具を挿入して押すことができるので、パソコンのフロントパネルに記録媒体を排出するために専用の金属ピン等の操作具を挿入するための孔を配設しなくてもよく、自動排出機構を有していない他の磁気記録装置を採用しているパソコンに、本磁気記録装置を置き換え搭載することが容易になる。
【００２８】
更に、従来は、余り大きな挿入孔を設けると異物等の進入を防止することが出来ないので、少なくとも挿入口より小さい金属ピン等の操作具が必要であったが、本発明では、装填口２ａから操作具を挿入するので、従来の金属ピン等よりも大きい、例えばドライバー状のものでも操作具として使用することができる。また、装填口２ａには開閉蓋を設けているので異物等が進入することもない。
【００２９】
【発明の効果】
以上説明したように、本発明の請求項１に係る磁気記録装置によれば、記録媒体を緊急時に強制排出する機構を備えた磁気記録装置であって、前記記録媒体を載置するエレベータと、前記記録媒体を載置する前記エレベータの下方両側部に設けられたピンと係合するテーパ部を有するエジェクトプレートと、前記磁気記録装置の本体に固定したシャーシに設けた軸に回動自在に設けられた前記エジェクトプレートの先端部と係合可能なラッチと、前記シャーシに設けられた、前記記録媒体の裏面の孔に係合する突起と、前記エレベータに設けた軸に回動自在に軸支され、該レバーと前記エレベータ間に設けられたバネの付勢力により、前記記録媒体を装填口方向に押すとともに、該記録媒体のシャッターを開閉するレバーとを備え、停電等の緊急時には、前記エジェクトプレートの押圧部を前記磁気記録装置本体の前面に設けた前記記録媒体の装填口より挿入した操作具で押圧して、前記エジェクトプレートを後方に移動させて、該エジェクトプレートの先端部を前記ラッチに係止させるとともに、前記テーパ部により前記エレベータを上昇させて、前記記録媒体の前記孔と、前記シャーシに設けられた突起との係合を解除し、前記バネＡにより付勢された前記記録媒体を前記装填口から強制的に排出させるようにしたから、パソコンのフロントパネルに記録媒体を排出するために専用の金属ピン等の操作具を挿入するための孔を配設しなくてもよく、金属ピン等の操作具を挿入する専用の挿入孔を廃止することができる効果がある。
【００３０】
また、本発明（請求項２）によれば、請求項１記載の磁気記録装置において、前記エジェクトプレートの押圧部は、前記装填口のほぼ中央下方部位に配設したから、金属ピン等の操作具を挿入する専用の挿入孔を廃止することができる効果がある。
【００３１】
また、本発明（請求項３）によれば、請求項１記載の磁気記録装置において、前記エジェクトプレートの押圧部は、前記エジェクトプレートの前端中央部を上方に折り曲げて形成したから、本磁気記録装置をパソコンに搭載する場合も、装填口から操作具を挿入して押すことができるので、パソコンのフロントパネルに記録媒体を排出するために専用の金属ピン等の操作具を挿入するための孔を配設しなくてもよく、自動排出機構を有していない他の磁気記録装置を採用しているパソコンに、本磁気記録装置を置き換え搭載することが容易になる効果がある。
【図面の簡単な説明】
【図１】本発明の実施の形態１による磁気記録装置を示す斜視図である。
【図２】本発明の実施の形態１による磁気記録装置を示す、記録媒体１の装填状態における平面透視図である。
【図３】本発明の実施の形態１による磁気記録装置を示す、記録媒体１の装填状態における右側面透視図である。
【図４】本発明の実施の形態１による磁気記録装置を示す、記録媒体１の排出状態における平面透視図である。
【図５】本発明の実施の形態１による磁気記録装置を示す、記録媒体１の排出状態における右側面透視図である。
【図６】本発明の実施の形態１によるエジェクトプレートの形状を示す斜視図である。
【図７】本発明の実施の形態１による磁気記録装置の正面図である。
【図８】本発明の実施の形態１によるフロントベゼルの正面図である。
【図９】従来例による磁気記録装置を示す斜視図である。
【図１０】従来例による磁気記録装置を示す平面図並びに側面図である。
【図１１】従来例によるエジェクトプレートの形状を示す斜視図である。
【図１２】従来例による磁気記録装置を示す正面図である。
【図１３】従来例によるフロントベゼルの正面図である。
【符号の説明】
１  記録媒体
１ａ、１ｂ  記録媒体の孔
１ｃ  シャッター
２  フロントベゼル
２ａ  フロントベゼルの記録媒体装填口
３  エジェクトプレート
３ａ  記録媒体強制排出用の押圧部
３ｂ  記録媒体自動排出用の押圧部
３ｃ〜ｆ  テーパ部
３ｇ  ストッパ
４  記録媒体自動排出用のモジュール
４ａ  記録媒体自動排出用のモジュールのカムピン
５  エレベータ
５ａ〜ｄ  ピン
６  シャッターオープナー（レバー）
６ａ  リブ
７  シャッターオープナーバネ（バネ）
８ａ  エジェクトプレートバネ右
８ｂ  エジェクトプレートバネ左
９  ラッチ
９ａ  ボス
１０  ラッチバネ
１１  シャーシ
１１ａ、１１ｂ  突起
１２  従来のフロントベゼル
１２ａ  従来のフロントベゼルの装填口
１２ｂ  従来のフロントベゼルの記録媒体強制排出用操作具の挿入孔
１３  従来のエジェクトプレート
１３ａ  従来の記録媒体強制排出用の押圧部
１３ｂ  従来の記録媒体自動排出用の押圧部
【図１】
2004171617.tif 000003
【図２】
2004171617.tif 000004
【図３】
2004171617.tif 000005
【図４】
2004171617.tif 000006
【図５】
2004171617.tif 000007
【図６】
2004171617.tif 000008
【図７】
2004171617.tif 000009
【図８】
2004171617.tif 000010
【図９】
2004171617.tif 000011
【図１０】
2004171617.tif 000012
【図１１】
2004171617.tif 000013
【図１２】
2004171617.tif 000014
【図１３】
2004171617.tif 000015